(57)【要約】【課題】回路の具現が簡単で、かつ信号歪みに対する訂正処理により光ディスクのデータ記録トラックを正確に追従するトラッキングエラー信号生成装置を提供する。【解決手段】トラッキングエラー信号生成装置は、光ディスクの記録面からの反射光を受光すべく複数に分割された受光素子を備えた光検出部と、光検出部の受光素子のうちの設定された群に該当する受光素子から出力される信号の和信号を群別に設定された基準信号と比較して出力する比較部と、比較部から出力される群別の比較結果信号を相互比較してエラー部分があるか否かを判断し、エラー部分を訂正して出力するエラー訂正部と、エラー訂正部から出力される群別の信号を相互比較して位相差に該当する信号を群別に出力する位相差検出部と、位相差検出部から出力される群別の信号を相互減算してトラッキングエラー信号として出力する減算器と、を備える。【選択図】　　　図１
2004071143.tif 000002
【特許請求の範囲】
【請求項１】
　光ディスクの記録面からの反射光を受光すべく複数に分割された受光素子を備えた光検出部と、
　前記光検出部の受光素子のうちの設定された群に該当する受光素子から出力される信号の和信号を前記群別に設定された基準信号と比較して出力する比較部と、
　前記比較部から出力される前記群別の比較結果信号を相互比較してエラー部分があるか否かを判断し、エラー部分を訂正して出力するエラー訂正部と、
　前記エラー訂正部から出力される前記群別の信号を相互比較して位相差に相当する信号を前記群別に出力する位相差検出部と、
　前記位相差検出部から出力される前記群別の信号を相互減算してトラッキングエラー信号として出力する減算器と、
　を備えることを特徴とするトラッキングエラー信号生成装置。
【請求項２】
　前記光検出部が、４分割された受光素子を備えることを特徴とする請求項１に記載のトラッキングエラー信号生成装置。
【請求項３】
　前記４分割された受光素子のうちの対角方向にある２つの受光素子からの出力信号を相互加算して第１の群信号として前記比較部に出力する第１の加算器と、
　前記４分割された受光素子のうちの前記第１の群に属しない残りの対角方向にある２つの受光素子からの出力信号を相互加算して第２の群信号として前記比較部に出力する第２の加算器と、
　を備えることを特徴とする請求項２に記載のトラッキングエラー信号生成装置。
【請求項４】
　前記比較部が、
　前記第１の加算器からの出力信号を基準信号と比較し、その比較結果を出力する第１の比較器と、
　前記第２の加算器からの出力信号を基準信号と比較し、その比較結果を出力する第２の比較器と、
　を備えることを特徴とする請求項３に記載のトラッキングエラー信号生成装置。
【請求項５】
　前記エラー訂正部が、
　前記第１の比較器からの出力信号と設定された第１の基準信号を選択的に前記位相差検出部に出力する第１のスイッチング部と、
　前記第２の比較器からの出力信号と前記第１の基準信号を選択的に前記位相差検出部に出力する第２のスイッチング部と、
　前記第１の比較器からの出力信号と前記第２の比較器からの出力信号とで排他的論理和演算を行うＸＯＲゲートと、
　前記第１の比較器からの出力信号と前記第２の比較器からの出力信号とで論理和演算を行うＯＲゲートと、
　前記ＸＯＲゲートからの出力信号と前記ＯＲゲートからの出力信号とを比較し、相互に同一レベルに該当する部分に対しては前記第１の基準信号が出力されるように前記第１及び第２のスイッチング部を制御するパルス比較部と、
　を備えることを特徴とする請求項４に記載のトラッキングエラー信号生成装置。
【請求項６】
　前記パルス比較部が、
　前記ＸＯＲゲートから直列に入力された信号を並列に変換する第１の直列−並列変換器と、
　前記ＯＲゲートから直列に入力された信号を並列に変換する第２の直列−並列変換器と、
　前記ＸＯＲゲートからの並列出力信号と前記ＯＲゲートからの並列出力信号とを相互比較し、前記両信号の同一レベルに該当する部分に対しては前記第１の基準信号が出力されるように前記第１及び第２のスイッチング部を制御する並列２進比較器と、
　を備えることを特徴とする請求項５に記載のトラッキングエラー信号生成装置。
【請求項７】
　光ディスクの記録面からの反射光を受光すべく複数に分割された受光素子を備えた光検出部と、
　前記光検出部の受光素子のそれぞれから出力される信号を設定された基準信号と比較してそれぞれ出力する複数の比較器と、
　前記光検出部に対向して配置された受光素子同士の群に属する前記比較器のそれぞれから出力される比較結果信号を相互比較してエラー部分があるか否かを判断し、エラー部分を訂正して出力するエラー訂正部と、
　前記エラー訂正部から前記各受光素子に対応して出力される信号を前記群に属する信号同士で相互比較し、位相差に相当する信号を前記各受光素子に対応してそれぞれ出力する位相差検出部と、
　前記位相差検出部から出力され、前記光検出器の対角方向に配置された受光素子に対応した信号同士を相互加算してそれぞれ出力する加算器と、
　前記加算器から出力される信号を相互減算してトラッキングエラー信号として出力する減算器と、
　を備えることを特徴とするトラッキングエラー信号生成装置。
【請求項８】
　前記光検出部が、４分割された受光素子を備えることを特徴とする請求項７に記載のトラッキングエラー信号生成装置。
【請求項９】
　前記エラー訂正部が、
　前記４分割された受光素子のうちの相互対向して配置された第１及び第２の受光素子に対応する前記比較器からの出力信号を相互比較してエラー部分があるか否かを判断し、エラー部分を訂正して出力する第１のエラー訂正部と、
　前記４分割された受光素子のうちの相互対向して配置された第３及び第４の受光素子に対応する前記比較器からの出力信号を相互比較してエラー部分があるか否かを判断し、エラー部分を訂正して出力する第２のエラー訂正部と、
　を備えることを特徴とする請求項８に記載のトラッキングエラー信号生成装置。
【請求項１０】
　前記位相差検出部が、
　前記第１のエラー訂正部から出力される前記第１及び第２の受光素子に対応する信号を相互比較し、位相差に相当する信号を前記第１及び第２の受光素子に対応してそれぞれ出力する第１の位相差検出部と、
　前記第２のエラー訂正部から出力される前記第３及び第４の受光素子に対応する信号を相互比較し、位相差に相当する信号を前記第３及び第４の受光素子に対応してそれぞれ出力する第２の位相差検出部と、
　前記第１の位相差検出部からの前記第１の受光素子に対応して出力される信号と前記第２の位相差検出部からの前記第３の受光素子に対応して出力される信号とを相互論理和して前記減算器に出力する第１のＯＲゲートと、
　前記第１の位相差検出部からの前記第２の受光素子に対応して出力される信号と前記第２の位相差検出部からの前記第４の受光素子に対応して出力される信号とを相互論理和して前記減算器に出力する第２のＯＲゲートと、
　を備えることを特徴とする請求項９に記載のトラッキングエラー信号生成装置。
【請求項１１】
　前記第１のエラー訂正部が、
　前記第１の受光素子に接続された比較器からの出力信号と設定された第１の基準信号を選択的に前記位相差検出部に出力する第１のスイッチング部と、
　前記第２の受光素子に接続された比較器からの出力信号と前記第１の基準信号を選択的に前記位相差検出部に出力する第２のスイッチング部と、
　前記第１の受光素子に接続された比較器からの出力信号と前記第２の受光素子に接続された比較器からの出力信号とを排他的論理和演算を行うＸＯＲゲートと、
　前記第１の受光素子に接続された比較器からの出力信号と前記第２の受光素子に接続された比較器からの出力信号とを論理和演算を行うＯＲゲートと、
　前記ＸＯＲゲートからの出力信号と前記ＯＲゲートからの出力信号とを比較し、相互に同一レベルに該当する部分に対しては前記第１の基準信号が出力されるように前記第１及び第２のスイッチング部を制御するパルス比較部と、
　を備えることを特徴とする請求項９に記載のトラッキングエラー信号生成装置。
【請求項１２】
　前記第２のエラー訂正部が、
　前記第３の受光素子に接続された比較器からの出力信号と設定された第１の基準信号を選択的に前記位相差検出部に出力する第３のスイッチング部と、
　前記第４の受光素子に接続された比較器からの出力信号と前記第１の基準信号を選択的に前記位相差検出部に出力する第４のスイッチング部と、
　前記第３の受光素子に接続された比較器からの出力信号と前記第４の受光素子に接続された比較器からの出力信号とを排他的論理和演算を行うＸＯＲゲートと、
　前記第３の受光素子に接続された比較器からの出力信号と前記第４の受光素子に接続された比較器からの出力信号とを論理和演算を行うＯＲゲートと、
　前記ＸＯＲゲートからの出力信号と前記ＯＲゲートからの出力信号とを比較し、相互に同一レベルに該当する部分に対しては前記第１の基準信号が出力されるように前記第３及び第４のスイッチング部を制御するパルス比較部と、
　を備えることを特徴とする請求項９又は請求項１１に記載のトラッキングエラー信号生成装置。
【発明の詳細な説明】
【技術分野】
【０００１】
　本発明は、トラッキングエラー信号生成装置に関し、より詳しくは、光ディスクの記録面からの反射光からトラッキングエラー信号を生成するトラッキングエラー信号生成装置に関する。
【背景技術】
【０００２】
　光ディスク、例えばＣＤ(Compact Disk)、ＤＶＤ(Digital Video Disk)には、螺旋状のトラックが形成されている。かかる光ディスクからの記録されている情報を読み出すディスクプレーヤーは、ディスクのデータ記録面からデータをエラーなしに取り出すために光を照射し、反射された光を受光する光ピックアップ装置がトラックを正確に追従するように制御しなければならない。このために、通常、光ディスクの記録面から反射された光を受光する４分割の光検出器に入射された光の分布情報を用いてトラッキングエラー信号を生成する。
【０００３】
　通常、ＤＶＤ用光ディスクプレーヤーの場合、位相差検出方式を用いてトラッキングエラー信号を生成している。韓国公開特許第１９９８−０８２２７７号では、位相差検出方式によりトラッキングエラー信号を生成する装置が開示されている。ところが、韓国公開特許第１９９８−０８２２７７号に開示されている装置では、光ディスクからの反射光を光検出器で受光する過程で光検出器の信号に歪みが発生する場合に対してはエラー訂正を行うことができないという問題点があった。特に、ピット／ランドの長さが短い部分では光ピックアップのＭＴＦ(Modulation Transfer Function)により信号の振幅が非常に小さいためノイズの影響が更に増大する。ここで、ＭＴＦとは、ピット／ランドの長さが短くなるか、倍速が増加する場合に出力信号の周波数が高くなり、その結果、振幅が減少するという特性をいう。従って、記録密度を高め、倍速を増加させるためには、かかる信号歪みを補正する方案が求められる。
【０００４】
　一方、米国特許第６，３１７，３９６　Ｂ１では、かかる信号歪みに対する問題点が改善可能なトラッキングエラー信号生成装置が開示されている。ところが、米国特許第６，３１７，３９６　Ｂ１に開示されている装置では、光検出器から出力された信号を直接用いてエラーがあるか否かを判別するようになっており、回路の具現が非常に複雑になるという短所がある。
【特許文献１】韓国公開特許第１９９８−０８２２７７号
【特許文献２】米国特許第６，３１７，３９６　Ｂ１
【発明の開示】
【発明が解決しようとする課題】
【０００５】
　本発明は、従来のトラッキングエラー信号生成装置に関する上記問題点に鑑みてなされたものであり、本発明の目的は、信号歪みが訂正できる回路構造がシンプルなトラッキングエラー信号生成装置を提供することである。
【課題を解決するための手段】
【０００６】
　前記目的を達成するために、本発明に係るトラッキングエラー信号生成装置は、光ディスクの記録面からの反射光を受光すべく複数に分割された受光素子を備えた光検出部と；前記光検出部の受光素子のうちの設定された群に該当する受光素子から出力される信号の和信号を前記群別に設定された基準信号と比較して出力する比較部と；前記比較部から出力される前記群別の比較結果信号を相互比較してエラー部分があるか否かを判断し、エラー部分を訂正して出力するエラー訂正部と；前記エラー訂正部から出力される前記群別の信号を相互比較して位相差に相当する信号を前記群別に出力する位相差検出部と；前記位相差検出部から出力される前記群別の信号を相互減算してトラッキングエラー信号として出力する減算器と；を備える。
【０００７】
　好ましくは、前記光検出部は、４分割された受光素子である。
【０００８】
　また、前記光検出部は、前記４分割された受光素子のうちの対角方向にある２つの受光素子からの出力信号を相互加算して第１の群信号として前記比較部に出力する第１の加算器と；前記４分割された受光素子のうちの前記第１の群に属しない残りの対角方向にある２つの受光素子からの出力信号を相互加算して第２の群信号として前記比較部に出力する第２の加算器と；を備える。そして、前記比較部は、前記第１の加算器からの出力信号を基準信号と比較し、その比較結果を出力する第１の比較器と；前記第２の加算器からの出力信号を基準信号と比較し、その比較結果を出力する第２の比較器と；を備える。
【０００９】
　前記エラー訂正部は、前記第１の比較器からの出力信号と設定された第１の基準信号を選択的に前記位相差検出部に出力する第１のスイッチング部と；前記第２の比較器からの出力信号と前記第１の基準信号を選択的に前記位相差検出部に出力する第２のスイッチング部と；前記第１の比較器からの出力信号と前記第２の比較器からの出力信号とで排他的論理和演算を行うＸＯＲゲートと；前記第１の比較器からの出力信号と前記第２の比較器からの出力信号とで論理和演算を行うＯＲゲートと；前記ＸＯＲゲートからの出力信号と前記ＯＲゲートからの出力信号とを比較し、相互同一レベルに該当する部分に対しては前記第１の基準信号が出力されるように前記第１及び第２のスイッチング部を制御するパルス比較部と；を備える。
【００１０】
　また、本発明のまた他の実施の形態に係るトラッキングエラー信号生成装置は、光ディスクの記録面からの反射光を受光すべく複数に分割された受光素子を備えた光検出部と；前記光検出部の受光素子のそれぞれから出力される信号を設定された基準信号と比較してそれぞれ出力する複数の比較器と；前記光検出部に対向して配置された受光素子同士の群に属する前記比較器のそれぞれから出力される比較結果信号を相互に比較してエラー部分があるか否かを判断し、エラー部分を訂正して出力するエラー訂正部と；前記エラー訂正部から前記各受光素子に対応して出力される信号を前記群に属する信号同士で相互比較し、位相差に相当する信号を前記各受光素子に対応してそれぞれ出力する位相差検出部と；
前記位相差検出部から出力され、前記光検出器の対角方向に配置された受光素子に対応した信号同士を相互加算してそれぞれ出力する加算器と；前記加算器から出力される信号を相互減算してトラッキングエラー信号として出力する減算器と；を備える。
【００１１】
　前記エラー訂正部が、光検出部として適用された４分割された受光素子のうちの相互対向して配置された第１及び第２の受光素子に対応する前記比較器からの出力信号を相互比較してエラー部分があるか否かを判断し、エラー部分を訂正して出力する第１のエラー訂正部と；前記４分割された受光素子のうちの相互対向して配置された第３及び第４の受光素子に対応する前記比較器からの出力信号を相互比較してエラー部分があるか否かを判断し、エラー部分を訂正して出力する第２のエラー訂正部と；を備える。
【００１２】
　また、前記位相差検出部が、前記第１のエラー訂正部から出力される前記第１及び第２の受光素子に対応する信号を相互比較し、位相差に相当する信号を前記第１及び第２の受光素子に対応してそれぞれ出力する第１の位相差検出部と；前記第２のエラー訂正部から出力される前記第３及び第４の受光素子に対応する信号を相互比較し、位相差に相当する信号を前記第３及び第４の受光素子に対応してそれぞれ出力する第２の位相差検出部と；を備え、前記第１の位相差検出部からの前記第１の受光素子に対応して出力される信号と前記第２の位相差検出部からの前記第３の受光素子に対応して出力される信号とを相互論理和して前記減算器に出力する第１のＯＲゲートと；前記第１の位相差検出部からの前記第２の受光素子に対応して出力される信号と前記第２の位相差検出部からの前記第４の受光素子に対応して出力される信号とを相互論理和して前記減算器に出力する第２のＯＲゲートと；を備える。
【発明の効果】
【００１３】
　以上で説明した本発明に係るトラッキングエラー信号生成装置によると、受光素子からの出力信号を２進化する比較器からの出力信号を用いて信号歪みに対する訂正処理を行うようになっており、回路の具現が簡単であるという長所がある。
【発明を実施するための最良の形態】
【００１４】
　以下に添付図面を参照しながら、本発明に係るトラッキングエラー信号生成装置の好適な実施の形態について詳細に説明する。
【００１５】
　図１は、本発明の第１の実施の形態に係るトラッキングエラー信号生成装置を示すブロック図である。
【００１６】
　同図に示すように、トラッキングエラー信号生成装置は、第１及び第２の加算器２１、２２、第１及び第２の比較器４１、４２、エラー訂正部５０、位相差検出部６０、減算器８０を備える。
【００１７】
　第１の加算器２１は、４分割の光検出器１１から出力される信号のうちの対角方向に位置する第１及び第３の受光素子Ｐ１、Ｐ３からの出力信号を相互加算して出力する。第１の加算器２１から出力される信号が第１の群信号に該当する。
【００１８】
　第２の加算器２２は、４分割の光検出器１１から出力される信号のうちの対角方向に位置する残りの第２及び第４の受光素子Ｐ２、Ｐ４からの出力信号を相互加算して出力する。第２の加算器２２から出力される信号が第２の群信号となる。
【００１９】
　第１のゲイン制御増幅器（ＧＣＡ；Ｇａｉｎ　Ｃｏｎｔｒｏｌ　Ａｍｐｌｉｆｉｅｒ）３１は、第１の加算器２１から出力される信号を一定の振幅に調節して出力する。
【００２０】
　第２のゲイン制御増幅器（ＧＣＡ；Ｇａｉｎ　Ｃｏｎｔｒｏｌ　Ａｍｐｌｉｆｉｅｒ）３２は、第２の加算器２２から出力される信号を一定の振幅に調節して出力する。
【００２１】
　第１の比較器４１は、第１のゲイン制御増幅器３１から出力される信号を基準レベルと比較して２進化された信号として出力する。
【００２２】
　第２の比較器４２は、第１のゲイン制御増幅器３２から出力される信号を基準レベルと比較して２進化された信号として出力する。
【００２３】
　エラー訂正部５０は、第１の比較器４１から出力される信号と第２の比較器４２から出力される信号とを相互比較して信号歪みがあるか否かを判断し、信号歪みのある部分を訂正して出力する。
【００２４】
　位相差検出部６０は、エラー訂正部５０からの第１の群に対応して出力される信号と第２の群に対応して出力される信号とを相互比較し、位相差に相当する信号を群別にそれぞれ出力する。
【００２５】
　第１及び第２のローパスフィルタ（ＬＰＦ）７１、７２は、位相差検出部６０からそれぞれ出力される信号を位相差に比例する電圧信号に変換して出力する。
【００２６】
　減算器８０は、第１及び第２のローパスフィルタ７１、７２から出力される信号を相互減算してトラッキングエラー信号（ＴＥＳ）として出力する。
【００２７】
　かかるトラッキングエラー信号生成装置において信号歪みが発生した時にこれをエラー訂正部５０で訂正処理することでトラッキングエラー信号を生成する過程を説明するための各部の波形図が図２に示されている。
【００２８】
　図２における英文字Ａ１は、第１の加算器２１から出力される波形を、Ａ２は、第２の加算器２２から出力される波形の例を示す。また、第２の加算器２２から出力される波形は、区間Ｘで信号歪みが発生したと仮定して、減衰した異常な信号が出力されたことを示す。
【００２９】
　かかるエラー訂正部５０は、図３に示すように比較器４１、４２からそれぞれ出力される第１の群信号Ｂ１と第２の群信号Ｂ２とを相互比較し、いずれか一方のレベルが異常に一定の幅以上に延長する場合に信号歪みと判断し、該当部分を他の群信号と同一レベルに変換して出力する。その結果、信号歪みが発生しても正常なトラッキングエラー信号を生成することができる。
【００３０】
　かかるエラー訂正部５０の好適な例が図４に示されている。また、図４の一部要素に対する出力波形が図５に示されている。
【００３１】
　同図を参照すると、エラー訂正部５０は、第１のＭＵＸ５１、第２のＭＵＸ５２、ＸＯＲゲート５３、ＯＲゲート５４、パルス比較部５５を備える。
【００３２】
　第１及び第２のＭＵＸ５１、５２は、パルス比較部５５の制御信号により第１の比較器４１及び第２の比較器４２から出力される信号Ｂ１、Ｂ２をそのまま出力するか、または設定された第１の基準信号であるロー信号を出力する。
【００３３】
　ＸＯＲゲート５３は、第１の比較器４１からの出力信号Ｂ１と第２の比較器４２からの信号Ｂ２とを排他的論理和演算してパルス比較部５５に出力する。
【００３４】
　ＯＲゲート５４は、第１の比較器４１からの出力信号Ｂ１と第２の比較器４２からの信号Ｂ２とを論理和演算してパルス比較部５５に出力する。
【００３５】
　パルス比較部５５は、ＸＯＲゲート５３からの出力信号ＫとＯＲゲート５４からの出力信号Ｌとを比較し、相互同一レベルに該当する部分に対しては第１の基準信号、例えば、ロー信号が出力されるように第１及び第２のスイッチング部である第１のＭＵＸ５１及び第２のＭＵＸ５２を制御する。
【００３６】
　パルス比較部５５は、２つの直列−並列変換器５５ａ、５５ｂと並列２進比較器５５ｃを備える。
【００３７】
　直列−並列変換器５５ａ、５５ｂは、それぞれ直列状に入力されるＸＯＲゲート５３からの出力信号ＫとＯＲゲート５４からの出力信号Ｌを並列信号に変換する。直列−並列変換器５５ａ、５５ｂとしては、シフトレジスタが適用され得る。
【００３８】
　並列２進比較器５５ｃは、直列−並列変換器５５ａ、５５ｂでそれぞれ並列化した信号を相互比較し、両信号が同一のレベルに保持される区間に対しては、ＭＵＸ５１、５２から第１の基準信号が出力されるようにする信号を出力する。信号を比較する際は、並列２進比較器５５ｃで比較されたビット数は、区間Ｘに含まれるビット数に相当する。
【００３９】
　かかるエラー訂正部によると、比較器４１、４２のそれぞれから出力される信号を相互排他的論理和及び論理和の演算を行うと、図２及び図５に示したような歪み有する信号が同じ波形の信号に変換されうる。図２及び図５は、図４の各部の波形と、区間Ｘの波形を示し、それらは符号Ｓ１，Ｓ２で示した部分のように信号歪みを有する。これを見て分かるように、エラーは、後の位相差検出過程で訂正することができる。
【００４０】
　一方、エラー訂正部５０の信号歪みに対するエラー訂正方式を同様の方法で適用し、光検出部の受光素子から出力される信号のグループ化に対する他の実施の形態が図６に示されている。
【００４１】
　同図を参照すると、トラッキングエラー信号生成装置は、第１乃至第４の比較器１４１、１４２、１４３、１４４、エラー訂正部１５０、位相差検出部１６０、減算器１８０を備える。
【００４２】
　同図において、４分割の光検出器１１０から出力される信号のうちの時計回り方向に沿って対向するように隣接して位置した第１及び第２の受光素子Ｐ１、Ｐ２からの出力信号が第１の群信号に該当し、第３及び第４の受光素子Ｐ３、Ｐ４からの出力信号が第２の群信号に該当する。
【００４３】
　第１乃至第４のゲイン制御増幅器１３１、１３２、１３３、１３４は、光検出器１１０の各受光素子Ｐ１、Ｐ２、Ｐ３、Ｐ４から出力される信号をそれぞれ一定の振幅に調節して出力する。
【００４４】
　第１乃至第４の比較器１４１、１４２、１４３、１４４は、対応するそれぞれのゲイン制御増幅器１３１、１３２、１３３、１３４から出力される信号を基準レベルと比較して２進化された信号として出力する。
【００４５】
　エラー訂正部１５０は、第１の群信号を処理する第１のエラー訂正部１５１と、第２の群信号を処理する第２のエラー訂正部１５２とを備える。
【００４６】
　第１のエラー訂正部１５１は、光検出器１１０の第１の受光素子Ｐ１と第２の受光素子Ｐ２からの出力信号を図４を参照して説明した信号処理方式により信号を処理して出力する。
　第２のエラー訂正部１５２は、光検出器１１０の第３の受光素子Ｐ３と第４の受光素子Ｐ４からの出力信号を図４を参照して説明した信号処理方式により信号を処理して出力する。
【００４７】
　即ち、第１のエラー訂正部１５１は、図４と同じ回路が適用され、入力信号として第１の比較器１４１からの出力信号ｂ１と第２の比較器１４２からの出力信ｂ２を入力されるように接続される。
　同様に、第２のエラー訂正部１５２は、図４と同じ回路が適用され、入力信号として第３の比較器１４３からの出力信号ｂ３と第４の比較器１４４からの出力信ｂ４を入力されるように接続される。
【００４８】
　位相差検出部１６０は、第１の群信号を処理する第１の位相差検出部１６１と、第２の群信号を処理する第２の位相差検出部１６２とを備える。
【００４９】
　第１の位相差検出部１６１は、第１のエラー訂正部１５１からの第１の受光素子Ｐ１及び第２の受光素子Ｐ２に対応して出力される信号を相互比較し、位相差に相当する信号を各受光素子に対応してそれぞれ出力する。
　第２の位相差検出部１６２は、第２のエラー訂正部１５２からの第３の受光素子Ｐ３及び第４の受光素子Ｐ４に対応して出力される信号を相互比較し、位相差に相当する信号を各受光素子に対応してそれぞれ出力する。
【００５０】
　第１のＯＲゲート２２１は、第１の位相差検出部１６１からの第１の受光素子Ｐ１に対応して出力される信号と第２の位相差検出部１６２からの第３の受光素子Ｐ３に対応して出力される信号とを相互論理和して減算器１８０に出力する。
【００５１】
　第２のＯＲゲート２２２は、第１の位相差検出部１６１からの第２の受光素子Ｐ２に対応して出力される信号と第２の位相差検出部１６２からの第４の受光素子Ｐ４に対応して出力される信号とを相互論理和して減算器１８０に出力する。
【００５２】
　減算器１８０は、第１のＯＲゲート２２１からの出力信号と第２のＯＲゲート２２２からの出力信号とを相互減算して出力する。
【００５３】
　減算器１８０から出力される信号は、ローパスフィルタ（ＬＰＦ）２７０を通ってトラッキングエラー信号（ＴＥＳ）として出力する。
【００５４】
　以上、添付図面を参照しながら本発明のトラッキングエラー信号生成装置の好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００５５】
【図１】本発明の第１の実施の形態に係るトラッキングエラー信号生成装置のブロック図である。
【図２】図１の一部要素に対する出力信号を示す波形図である。
【図３】図１のエラー訂正部に入力される波形に対してエラー訂正処理された後の出力波形を示す図である。
【図４】図１のエラー訂正部の好適な実施の形態に係る回路図である。
【図５】図４の一部要素に係る波形図である。
【図６】本発明の第２の実施の形態に係るトラッキングエラー信号生成装置を示すブロック図である。
【符号の説明】
【００５６】
　５０、１５０　エラー訂正部
　５１　　第１のＭＵＸ
　５２　　第２のＭＵＸ
　５３　　ＸＯＲゲート
　５４　　ＯＲゲート
　５５　　パルス比較部
　６０　　位相差検出部
　８０、１８０　減算器
【図１】
2004071143.tif 000003
【図２】
2004071143.tif 000004
【図３】
2004071143.tif 000005
【図４】
2004071143.tif 000006
【図５】
2004071143.tif 000007
【図６】
2004071143.tif 000008